(57)【要約】【課題】複数の画面のうち、所定のコンテンツの種類が表示されている画面の音声を出力することができる表示装置、プログラム、及び表示システムを提供することを課題とする。【解決手段】複数の画像を同時に１つの画面に表示可能な表示手段と、前記複数の画像のそれぞれについて、コンテンツの種類を判定する判定手段と、前記判定手段により、前記コンテンツの種類が所定のコンテンツであると判定された前記画像に対応する音声チャネルを選択する音声選択手段と、前記音声選択手段により選択された音声チャネルを用いて音声を出力する音声出力手段と、を有することにより、上記課題を解決する。【選択図】  図４
2015149583.tif 000002
【特許請求の範囲】
【請求項１】
複数の画像を同時に１つの画面に表示可能な表示手段と、
前記複数の画像のそれぞれについて、コンテンツの種類を判定する判定手段と、
前記判定手段により、前記コンテンツの種類が所定のコンテンツであると判定された前記画像に対応する音声チャネルを選択する音声選択手段と、
前記音声選択手段により選択された音声チャネルを用いて音声を出力する音声出力手段と、
を有する表示装置。
【請求項２】
前記音声選択手段は、前記判定手段により、複数の前記画像が所定のコンテンツであると判定された場合、いずれか１つの前記画像に対応する音声チャネルを選択する、請求項１記載の表示装置。
【請求項３】
前記所定のコンテンツの種類は、動画データである、請求項１又は２記載の表示装置。
【請求項４】
前記判定手段は、前記複数の画像のそれぞれについて、該画像に対応する音声チャネルに対し、音声を出力させるための音声データが入力されているか否かを判定し、
前記音声選択手段は、前記判定手段により、前記音声データが入力されている音声チャネルを選択する、請求項１記載の表示装置。
【請求項５】
前記音声選択手段は、前記判定手段により、前記音声データが入力されている音声チャネルが複数ある場合、いずれか１つの前記音声チャネルを選択する、請求項４記載の表示装置。
【請求項６】
表示装置を、
複数の画像を同時に１つの画面に表示可能な表示手段、
前記複数の画像のそれぞれについて、コンテンツの種類を判定する判定手段、
前記判定手段により、前記コンテンツの種類が所定のコンテンツであると判定された画像に対応する音声チャネルを選択する音声選択手段、
前記音声選択手段により選択された音声チャネルを用いて音声を出力する音声出力手段、
として機能させるためのプログラム。
【請求項７】
複数の電子機器と、表示装置とを有する表示システムであって、
前記複数の電子機器から画像データを受信し、該受信した画像データのそれぞれに対応する複数の画像を同時に１つの画面に表示可能な表示手段と、
前記複数の画像のそれぞれについて、コンテンツの種類を判定する判定手段と、
前記判定手段により、前記コンテンツの種類が所定のコンテンツであると判定された画像に対応する音声チャネルを選択する音声選択手段と、
前記音声選択手段により選択された音声チャネルを用いて、前記電子機器から入力される音声データに対応する音声を出力する音声出力手段と、
を有する表示システム。
【発明の詳細な説明】
【技術分野】
【０００１】
本発明は、表示装置、プログラム、及び表示システムに関する。
【背景技術】
【０００２】
プロジェクタ等の表示装置において、複数の画面を１つの表示面上に表示させるピクチャー・イン・ピクチャーという技術が既に知られている（例えば特許文献１参照）。
【発明の概要】
【発明が解決しようとする課題】
【０００３】
しかしながら、上記の従来技術においては、表示面上に表示される複数の画面のうち、いずれの画面に対応する音声を出力させるかについて、ユーザが表示装置を操作することで選択する必要があった。
【０００４】
本発明の一実施形態は、上記の点に鑑みてなされたもので、複数の画面のうち、所定のコンテンツの種類が表示されている画面の音声を出力する表示装置、プログラム、及び表示システムを提供することを目的とする。
【課題を解決するための手段】
【０００５】
上記目的を達成するため、本発明の一実施形態は、複数の画像を同時に１つの画面に表示可能な表示手段と、前記複数の画像のそれぞれについて、コンテンツの種類を判定する判定手段と、前記判定手段により、前記コンテンツの種類が所定のコンテンツであると判定された前記画像に対応する音声チャネルを選択する音声選択手段と、前記音声選択手段により選択された音声チャネルを用いて音声を出力する音声出力手段と、を有することを特徴とする。
【発明の効果】
【０００６】
本発明の一実施形態によれば、複数の画面のうち、所定のコンテンツの種類が表示されている画面の音声を出力することができる。
【図面の簡単な説明】
【０００７】
【図１】第一の実施形態に係る表示システムの一例の構成図である。
【図２】表示システムの一例の表示画面を説明する図である。
【図３】表示システムの他の例の表示画面を説明する図である。
【図４】第一の実施形態に係る表示装置の一例の構成図である。
【図５】第一の実施形態に係る音声切替処理の一例のフローチャートである。
【図６】第二の実施形態に係る表示装置の一例の構成図である。
【図７】第二の実施形態に係る音声切替処理の一例のフローチャートである。
【図８】第三の実施形態に係る音声切替処理の一例のフローチャートである。
【発明を実施するための形態】
【０００８】
次に、本発明の実施の形態について、詳細に説明する。
［第一の実施形態］
＜システムの構成＞
まず、第一の実施形態に係る表示システム１について説明する。図１は、第一の実施形態に係る表示システムの一例の構成図である。図１の表示システム１は、表示装置１０と、ＰＣ装置２０と、画像再生装置３０と有する。また、表示システム１は、表示装置１０とＰＣ装置２０、表示装置１０と画像再生装置３０がそれぞれＨＤＭＩ（登録商標）（High-Definition Multimedia Interface）などのケーブルＣ１及びＣ２で接続されている。
【０００９】
表示装置１０は、１つの表示面に複数の画像データ等のコンテンツデータを表示させることができる装置である。また、表示装置１０は、表示させる画像データ等のコンテンツデータに対応する音声データを出力することができる。表示装置１０は、例えばプロジェクタなどの投影装置、ディスプレイ、テレビなどの表示装置である。以降では、一例として、表示装置１０はプロジェクタなどの投影装置であるとして説明する。なお、プロジェクタは、例えばＤＬＰ（Digital Light Processing）プロジェクタ、液晶プロジェクタなどのプロジェクタの種類は問わない。
【００１０】
ＰＣ装置２０は、電子機器の一例としてのＰＣ（パーソナル・コンピュータ）などの情報処理装置である。ＰＣ装置２０は、表示装置１０に画像データや音声データなどを送信することができる。ＰＣ装置２０は、例えばデスクトップＰＣ、ノートＰＣ、タブレット端末、スマートフォン、携帯電話、ＰＤＡなどである。
【００１１】
画像再生装置３０は、電子機器の一例としてのＤＶＤ（Digital Versatile Disc）プレーヤなどの画像を再生する装置（ＡＶ（Audio Visual/Video）機器）である。画像再生装置３０は、表示装置１０に画像データや音声データなどを送信することができる。なお、表示装置１０と接続する電子機器としては、他にもデジタルカメラなどでもよい。すなわち、表示装置１０と接続する電子機器は、表示装置１０に対して、少なくとも画像データを送信できる機器であればよい。
【００１２】
なお、表示システム１では、一例として、表示装置１０とＰＣ装置２０、表示装置１０と画像再生装置３０がそれぞれのケーブルＣ１及びＣ２で接続されているが、これに限られない。表示装置１０とＰＣ装置２０及び／又は表示装置１０と画像再生装置３０は、例えば有線又は無線のＬＡＮ（Local Area Network）などのネットワークを介して接続されていてもよい。また、表示システム１では、電子機器の一例として、ＰＣ装置２０と画像再生装置３０の２台が接続されているが、３台以上の電子機器が接続されていてもよい。
【００１３】
＜表示システムの利用シーン＞
次に、表示システム１の利用シーンについて説明する。図２は、表示システムの一例の表示画面を説明する図である。図２では、表示装置１０の一例であるプロジェクタの投影面４０に、ＰＣ装置２０から入力された画像データを投影したＰＣ装置の画像４１と、画像再生装置３０から入力された画像データを投影した画像再生装置の画像４２とが表示されている。このように、本実施形態に係る表示装置１０は、１つの表示面（投影面）に複数の画面（画像）を同時に表示させることができる。なお、画像は、静止画又は動画である。
【００１４】
このとき、表示装置１０に対して、ＰＣ装置２０及び画像再生装置３０から音声データが入力されている場合、表示装置１０は、いずれか一方の音声データの音声を不図示のスピーカなどから出力する。従来の表示装置では、例えば、左側に表示される画像をメイン画像、右側に表示される画像をサブ画像として、表示装置は、左側に表示されるメイン画像に対応する音声（上記の例ではＰＣ装置の画像４１に対応する音声）を出力させる。また、例えば、左側に表示される画像に対応する音声又は右側に表示される画像に対応する音声のいずれの音声を出力させるかについて、ユーザの操作により選択できるようにしている。本実施形態に係る表示装置１０では、後述するように、いずれの音声を出力するか（いずれの音声チャネルからの音声データを出力するか）について自動で判定を行い、判定の結果によりいずれかの音声を出力するように制御するものである。
【００１５】
また、表示システム１の表示画面は、図３のような表示画面でもよい。図３は、表示システムの他の例の表示画面を説明する図である。図３は、画像再生装置の画像４２（サブ画像）は、ＰＣ装置の画像４１（メイン画像）の右下に表示される例である。なお、この図３のような表示形式は、ピクチャー・イン・ピクチャーと呼ばれる。
【００１６】
なお、上記の図２及び図３に示した例において、ユーザは、表示装置１０を操作することにより、各画面の大きさや位置を変更することができるようにしてもよい。
【００１７】
＜表示装置の構成＞
次に、表示装置１０の構成について説明する。図４は、第一の実施形態に係る表示装置の一例の構成図である。
【００１８】
表示装置１０は、外部Ｉ／Ｆ部１０１、制御部１０２、音声処理部１０３、スピーカ１０４、映像処理部１０５、光学ユニット制御部１０６、光学ユニット１０７、光源制御部１０８、光源１０９、操作部１１０、記憶部１１１、コンテンツ判定部１１２、及び音声チャネル選択部１１３を有する。
【００１９】
外部Ｉ／Ｆ部１０１は、電子機器との間で各種情報を入出力するためのインタフェースである。ＰＣ装置２０と画像再生装置３０は、外部Ｉ／Ｆ部１０１を介して、表示装置１０と接続され、画像データや音声データを含む各種情報の入出力（送受信）を行う。外部Ｉ／Ｆ部１０１は、画像データや画像データの制御情報等の送受信を行うための映像ポート１０１１と、音声データや音声データの制御情報等の送受信を行うための音声ポート１０１２と、ＵＳＢ（Universal Serial Bus）端子と接続された電子機器と各種情報を送受信するためのＵＳＢポート１０１３と、ＬＡＮ接続された電子機器と各種情報を送受信するためのＬＡＮポート１０１４とを有する。
【００２０】
制御部１０２は、表示装置１０を構成する他の各部を制御する。制御部１０２は、ＣＰＵ（Central Processing Unit）１０２１と、ＲＯＭ（Read Only Memory）１０２２と、ＲＡＭ（Random Access Memory）１０２３とにより実現される。ＣＰＵ１０２１は、ＲＯＭ１０２２や記憶部１１１に記憶された各種プログラムに従って、各種制御や機能を実現する演算装置である。ＲＯＭ１０２２は、表示装置１０で実行可能な各種プログラムや、これらの各種プログラムを実行する際に使用される各種データ、及びＣＰＵ１０２１の演算処理結果などを記憶する不揮発性の半導体メモリ（記憶装置）である。ＲＡＭ１０２３は、ＣＰＵ１０２１によって実行される各種プログラムなどを展開するためのプログラム格納領域や、各種入出力データや各種プログラムの実行結果などを格納するデータ格納領域などを備える揮発性の半導体メモリ（記憶装置）である。
【００２１】
音声処理部１０３は、外部Ｉ／Ｆ部１０１を介して入力された（受信した）音声データのうち、音声チャネル選択部１１３で選択された音声チャネルについて、音量調整や音質調整等の処理を行う。音声処理部１０３は、入力された音声データに対して音量調整や音質調整等の処理を行った後、この処理後の音声データをスピーカ１０４や不図示の音声出力ポートに出力する。なお、音声処理部１０３は、音声チャネル選択部１１３で選択された音声チャネル以外からは音声データを入力しない。したがって、複数の音声チャネルから音声データが入力されている場合であっても、音声処理部１０３は、音声チャネル選択部１１３によって選択された１つの音声チャネルから入力される音声データについて各種処理を行う。
【００２２】
スピーカ１０４は、音声処理部１０３から入力された音声データに従って、音声を出力する音声出力装置である。なお、スピーカ１０４は、表示装置１０に内蔵されている内蔵型のスピーカでもよいし、例えば不図示の音声出力ポートを介してケーブルやネットワークなどに接続される外部機器のスピーカでもよい。
【００２３】
映像処理部１０５は、外部Ｉ／Ｆ部１０１を介して入力された（受信した）画像データに対して、Ａ／Ｄ（Analog/Digital）変換や、解像度、輝度、コントラスト等の調整、台形補正などの各種処理を行う。映像処理部１０５は、入力された画像データに対して各種処理を行った後、この処理後の画像データをＲＡＭ１０２３や不図示のバッファメモリ等に出力する。
【００２４】
光学ユニット制御部１０６は、光学ユニット１０７を制御して、映像処理部１０５からＲＡＭ１０２３や不図示のバッファメモリ等に出力された画像データの投影を行う。光学ユニット１０７は、レンズ、ミラーなどの光学部品から構成されるユニット（部品）である。光源制御部１０８、制御部１０２からの指示に基づき、光源１０９の点灯や消灯などを制御する。光源１０９は、例えば水銀ランプなどである。
【００２５】
操作部１１０は、ユーザからの各種操作入力を受け付け、制御部１０２を介して、操作入力に対応する機能を実現させる。操作部１１０は、例えばカーソルキーや文字／数字キー、各種機能キー、リモコンなど遠隔からの各種操作入力を受け付ける受信部などから構成される。
【００２６】
記憶部１１１は、例えばＥＥＰＲＯＭ（Electrically Erasable Programmable ROM）等の不揮発性の半導体メモリ（記憶装置）である。記憶部１１１は、表示装置１０が実行可能な各種プログラムやこれらの各種プログラムを実行する際に使用される各種データ等を記憶する。各種データとは、例えば表示装置１０を一意に識別するために割り当てられた機器固有ＩＤなどである。なお、記憶部１１１は、例えばＨＤ（Hard Disk）などの記憶装置であってもよい。また、記憶部１１１は、例えば表示装置１０とネットワークを介して接続される記憶装置であってもよい。
【００２７】
コンテンツ判定部１１２は、外部Ｉ／Ｆ部１０１を介して入力された（受信した）画像データが動画データであるか静止画データであるかを判定する。すなわち、コンテンツ判定部１１２は、外部Ｉ／Ｆ部１０１を介して入力されるデータのコンテンツの種類を判定する。
【００２８】
音声チャネル選択部１１３は、コンテンツ判定部１１２の判定結果に基づいて、音声チャネルの選択を行う。なお、音声チャネルとは、音声データの入出力を行う論理的又は物理的な伝送路である。表示装置１０には、外部Ｉ／Ｆ部１０１に接続された電子機器と対応する音声チャネルが存在する。例えば、表示システム１の表示装置１０には、ＰＣ装置２０からの音声データを入力するための音声チャネルと、画像再生装置３０からの音声データを入力するための音声チャネルとが存在する。例えば音声チャネルは、表示装置１０がＰＣ装置２０から音声データを入力するための第１の音声ポート１０１２、表示装置１０が画像再生装置３０から音声データを入力するための第２の音声ポート１０１２などである。
【００２９】
＜処理の詳細＞
次に、第一の実施形態に係る表示システム１の処理の詳細について説明する。図５は、第一の実施形態に係る音声切替処理の一例のフローチャートである。
【００３０】
ステップＳ１１において、ユーザは、表示装置１０に対して、外部Ｉ／Ｆ部１０１を介して、ＰＣ装置２０と画像再生装置３０から画像データ及び音声データを入力する。そして、ユーザは、操作部１１０を介して、入力された画像データそれぞれに対応する画面を表示させる要求を行う。これにより、表示装置１０は、外部Ｉ／Ｆ部１０１から入力された画像データを制御部１０２の制御に従ってそれぞれ映像処理部１０５で各種処理を行い、この各種処理後の画像データが光学ユニット１０７や光源１０９を用いて表示面に投影され、表示される。
【００３１】
このとき、表示装置１０が表示する画面は、図２に示した２画面に分割表示させる表示形式でも、図３に示したピクチャー・イン・ピクチャーの表示形式でもいずれでもよい。表示装置１０は、入力された画像データそれぞれに対応する画面を複数画面表示させるものであればどのような表示形式でもよい。
【００３２】
なお、上記では、ユーザが操作部１１０を介して、入力された画像データそれぞれに対応する画面の表示（複数画面表示）要求を行っているが、例えば表示装置１０は、外部Ｉ／Ｆ部１０１から複数の画像データがあった場合に、自動的に複数画面表示を行うようにしてもよい。
【００３３】
ステップＳ１２において、表示装置１０のコンテンツ判定部１１２は、上記ステップＳ１１で表示される複数画面表示についていずれの画面に対応する音声を出力させるか制御するため、現在音声チャネル選択部１１３により選択されている音声チャネルに対応する画像データが動画データか静止画データかを判定する。例えば、図２において、ＰＣ装置の画像４１に対応する音声チャネルが選択されている場合、コンテンツ判定部１１２は、ＰＣ装置の画像４１が動画か静止画かを判定する。なお、音声チャネル選択部１１３は、例えば標準（デフォルト）では、メイン画像の画像データに対応する音声チャネル又は左側画像の画像データに対応する音声チャネルが選択されているようにしてもよい。
【００３４】
画像データが動画データであるか静止画データであるかの判定は、例えば、表示装置１０とＰＣ装置２０や画像再生装置３０などの電子機器がＨＤＭＩで接続されている場合、コンテンツタイプ伝送の仕組みにより判定することができる。具体的には、例えばＨＤＭＩ  １．４では、AVI InfoFrameにGame，Cinema，Photo，Graphicsのいずれかのコンテンツタイプを示す情報が設定されるので、Game，Cinemaを動画データ、Photo，Graphicsを静止画データと判定すればよい。
【００３５】
また、例えば、表示装置１０のコンテンツ判定部１１２は、外部Ｉ／Ｆ部１０１から入力された画像データについて、フレーム間の差分量により判定してもよい。具体的には、コンテンツ判定部１１２は、外部Ｉ／Ｆ部１０１から入力された画像データのフレーム間の差分が大きい場合、動画データと判定し、差分が小さい場合、静止画データと判定すればよい。また、例えば、表示装置１０に、別途、表示面を撮像するカメラを搭載し、撮影した画像の変化量（例えばヒストグラム）から判定してもよいし、画像データ以外に、動画データ／静止画データの種別情報を電子機器から受信するようにして判定してもよい。
【００３６】
ステップＳ１３において、表示装置１０の制御部１０２は、現在音声チャネル選択部１１３により選択されている音声チャネルに対応する画像データが動画データの場合、ステップＳ１４の処理を行い、静止画データの場合、ステップＳ１５の処理を行う。
【００３７】
ステップＳ１４において、表示装置１０の音声処理部１０３は、音声チャネル選択部１１３で選択されている音声チャネルの音声データについて、音量調整や音質調整等の処理を行う。そして、表示装置１０は、この音声データをスピーカ１０４などから出力する。すなわち、表示装置１０は、現在、音声チャネル選択部１１３により選択されている音声チャネルに対応する画像データが動画データである場合、この動画データに対応する音声をスピーカ１０４などから出力する。
【００３８】
ステップＳ１５において、表示装置１０のコンテンツ判定部１１２は、現在音声チャネル選択部１１３により選択されていない音声チャネルに対応する画像データが動画データか静止画データかを判定する。例えば、図２において、コンテンツ判定部１１２は、画像再生装置の画像４２が動画か静止画かを判定する。なお、ステップＳ１５の処理における判定方法は、ステップＳ１２の処理における判定方法と同様である。したがって、ステップＳ１２において、現在音声チャネル選択部１１３により選択されている／選択されていないに関わらず、すべての音声チャネルに対応する画像データについて、動画データか静止画データかを判定してもよい。
【００３９】
ステップＳ１６において、表示装置１０の制御部１０２は、上記ステップＳ１５の判定結果が動画データの場合、ステップＳ１７の処理を行い、静止画データの場合、ステップＳ１８の処理を行う。すなわち、現在音声チャネル選択部１１３により選択されていない音声チャネルに対応する画像データが動画データの場合、ステップＳ１７の処理を行い、静止画データの場合、ステップＳ１８の処理を行う。
【００４０】
ステップＳ１７において、表示装置１０の音声チャネル選択部１１３は、音声チャネルを切り替える。そして、表示装置１０は、この切り替えた音声チャネルから入力される音声データの音声をスピーカ１０４などから出力する。すなわち、表示装置１０の音声チャネル選択部１１３は、上記ステップＳ１５の判定結果が動画データである画像データに対応する音声チャネルを選択する。そして、表示装置１０の音声処理部１０３は、この選択された音声チャネルの音声データについて、音量調整や音質調整等の処理を行い、スピーカ１０４などから音声を出力する。これにより、外部Ｉ／Ｆ部１０１から入力される画像データのうち、動画データである画像データに対応する音声を出力することができる。
【００４１】
ステップＳ１８において、表示装置１０の音声処理部１０３は、音声チャネル選択部１１３で選択されている音声チャネルの音声データについて、音量調整や音質調整等の処理を行い、スピーカ１０４などから音声を出力する。すなわち、外部Ｉ／Ｆ部１０１から入力される画像データがすべて静止画データである場合、（音声チャネルの切り替えは行わず）現在選択されている音声チャネルの音声をスピーカ１０４などから出力する。
【００４２】
なお、例えば外部Ｉ／Ｆ部１０１から複数の動画データが入力される場合（すなわち、出力候補の音声が複数ある場合）は、電子機器が接続されている入力端子に優先順位を設定し、この優先順位が最も高い入力端子に接続されている電子機器からの音声データを出力させるようにしてもよい。また、例えば表示面に表示されている画像のサイズが最も大きい画像データに対応する音声を出力させるようにしてもよい。
【００４３】
なお、上記ステップＳ１７において、例えば外部Ｉ／Ｆ部１０１から入力されるすべての画像データについて、対応する音声データが入力されていない場合（すべての音声ポート１０１２から音声データの入力がない場合）、音声チャネル選択部１１３は音声チャネルの切り替えを行わないようにしてもよい。
【００４４】
以上により、第一の実施形態に係る表示システム１の表示装置１０は、複数の電子機器から画像データが入力されている場合、これらの画像データのうちいずれが動画データであるかを自動的に判定し、この動画データに対応する音声を出力させることができる。
［第二の実施形態］
次に、第二の実施形態に係る表示システム１について説明する。第二の実施形態に係る表示システム１の表示装置１０は、第一の実施形態に係る表示システム１の表示装置１０と異なり、入力された画像データに対応する音声データが入力されているか否かに基づいてどの音声を出力するかを選択する。なお、第二の実施形態に係る表示システム１のシステムの構成は第一の実施形態と同様であるため説明を省略する。
【００４５】
＜表示装置の構成＞
次に、第二の実施形態に係る表示装置１０の構成について説明する。図６は、第二の実施形態に係る表示装置の一例の構成図である。
【００４６】
表示装置１０は、外部Ｉ／Ｆ部１０１、制御部１０２、音声処理部１０３、スピーカ１０４、映像処理部１０５、光学ユニット制御部１０６、光学ユニット１０７、光源制御部１０８、光源１０９、操作部１１０、記憶部１１１、及び音声チャネル選択部１１４を有する。すなわち、第二の実施形態に係る表示装置１０は、第一の実施形態に係る表示装置１０と異なり、コンテンツ判定部１１２を有しない。
【００４７】
音声チャネル選択部１１４は、音声データが入力されている音声チャネルを検索し、この検索した音声チャネルに基づいて、音声を出力させる音声チャネルを選択する。なお、第二の実施形態に係る表示装置１０を構成する他の各部については、第一の実施形態に係る表示装置１０の構成する対応する各部と同様のため説明を省略する。
【００４８】
＜処理の詳細＞
次に、第二の実施形態に係る表示システム１の処理の詳細について説明する。図７は、第二の実施形態に係る音声切替処理の一例のフローチャートである。
【００４９】
ステップＳ２１の処理は、図５のステップＳ１１の処理と同様のため説明を省略する。ステップＳ２２において、表示装置１０の音声チャネル選択部１１４は、音声データが入力されている音声チャネルを検索する。すなわち、例えば音声チャネル選択部１１４は、ＨＤＭＩケーブルを介して、音声ポート１０１２から音声データが入力されている音声チャネルを検索する。
【００５０】
ステップＳ２３において、表示装置１０の制御部１０２は、現在音声チャネル選択部１１３により選択されている音声チャネルから音声データが入力されている場合、ステップＳ２４の処理を行い、選択されている音声チャネルから音声データが入力されていない場合、ステップＳ２５の処理を行う。
【００５１】
ステップＳ２４の処理は、図５のステップＳ１４の処理と同様のため説明を省略する。ステップＳ２５において、表示装置１０の制御部１０２は、現在音声チャネル選択部１１３により選択されていない音声チャネルから音声データが入力されている場合、ステップＳ２６の処理を行い、選択されていない音声チャネルから音声データが入力されていない場合、処理を終了させる。なお、選択されていない音声チャネルから音声データが入力されていない場合、表示装置１０のすべての音声チャネルから音声データが入力されていないため、この場合、表示装置１０は音声を出力しない。
【００５２】
ステップＳ２６において、表示装置１０の音声チャネル選択部１１３は、音声チャネルを切り替える。そして、表示装置１０は、この切り替えた音声チャネルから入力される音声データをスピーカ１０４などから出力する。これは、図５のステップＳ１５の処理と同様である。なお、現在音声チャネル選択部１１３により選択されていない音声チャネルが複数ある場合において、これら複数の音声チャネルのうち、音声データが入力されている音声チャネルが複数あるときは、所定の優先順位により、優先順位が最も高い音声チャネルを選択するようにしてもよい。所定の優先順位とは、上述したように、例えば入力端子に優先順位を設定する、表示面に表示されている画像のサイズに応じて優先順位を設定するなどである。
【００５３】
以上により、第二の実施形態に係る表示システム１の表示装置１０は、音声チャネルから音声データが入力されているか否かに基づいて、音声を出力させることができる。
［第三の実施形態］
次に、第三の実施形態に係る表示システム１について説明する。第三の実施形態に係る表示システム１の表示装置１０は、第二の実施形態に係る表示システム１の表示装置１０と異なり、すべての音声チャネルから音声データが入力されていない場合、音声チャネルを監視する。そして、いずれかの音声から音声データが入力された場合、この音声データが入力された音声チャネルを選択し、音声を出力させる。なお、第三の実施形態に係る表示システム１のシステムの構成及び表示装置の構成は、第二の実施形態と同様であるため説明を省略する。
【００５４】
＜処理の詳細＞
次に、第三の実施形態に係る表示システム１の処理の詳細について説明する。図８は、第三の実施形態に係る音声切替処理の一例のフローチャートである。
【００５５】
ステップＳ３１〜Ｓ３４及びＳ３６の処理は、それぞれ、図７のステップＳ２１〜Ｓ２４及びＳ２６の処理と同様であるため説明を省略する。
【００５６】
ステップＳ３５において、表示装置１０の制御部１０２は、現在音声チャネル選択部１１３により選択されていない音声チャネルから音声データが入力されている場合、ステップＳ３６の処理を行い、選択されていない音声チャネルから音声データが入力されていない場合、ステップＳ３２の処理を行う。
【００５７】
このように、選択されていない音声チャネルから音声データが入力されていない場合（すなわち、すべての音声チャネルから音声データが入力されていない場合）、ステップＳ３２の処理に戻り音声データが入力されている音声チャネルを再度検索する。これにより、表示装置１０の音声チャネル選択部１１４は、いずれかの音声チャネルから音声データが入力された場合、この音声チャネルから入力された音声データの音声を出力させることができる。したがって、例えば、最初は画像データの入力のみであったが、途中から音声データの入力を開始したような場合でも、音声の出力を行うことができる。
【００５８】
以上により、第三の実施形態に係る表示システム１の表示装置１０は、音声チャネルからの音声データ入力されているか否かに基づいて、音声を出力させることができる。また、表示装置１０は、いずれの音声チャネルからも音声データが入力されていない場合、音声チャネルを監視する。そして、いずれかの音声チャネルから音声データが入力された場合、この音声データの音声を出力させることができる。
【００５９】
＜まとめ＞
以上のように、第一の実施形態に係る表示システム１の表示装置１０は、複数の電子機器から画像データが入力されている場合、これらの画像データのうちいずれが動画データであるかを自動的に判定し、この動画データに対応する音声を出力させることができる。したがって、ユーザは、表示面に表示されている画像に対応する音声について、いずれの音声を出力させるかを選択する必要がない。
【００６０】
また、第二の実施形態に係る表示システム１の表示装置１０は、音声チャネルから音声データが入力されているか否かに基づいて、音声を出力させることができる。これにより、音声データが入力されている音声チャネルを自動的に判定し、音声を出力させることができる。
【００６１】
さらに、第三の実施形態に係る表示システム１の表示装置１０は、音声チャネルからの音声データ入力されているか否かに基づいて、音声を出力させることができる。また、表示装置１０は、いずれの音声チャネルからも音声データが入力されていない場合、音声チャネルを監視する。そして、いずれかの音声チャネルから音声データが入力された場合、この音声データの音声を出力させることができる。したがって、例えば最初は画像データの入力のみであったが、途中から音声データの入力を開始したような場合でも、音声の出力を行うことができる。
【００６２】
なお、映像処理部１０５、光学ユニット制御部１０６は、表示手段の一例である。コンテンツ判定部１１２、音声チャネル選択部１１３は、判定手段の一例である。音声チャネル選択部１１３は、音声選択手段の一例である。音声処理部１０３、スピーカ１０４は、音声出力手段の一例である。
【００６３】
本発明は、具体的に開示された上記の実施形態に限定されるものではなく、特許請求の範囲から逸脱することなく、種々の変形や変更が可能である。
【符号の説明】
【００６４】
１    表示システム
１０    表示装置
２０    ＰＣ装置
３０    画像再生装置
１０１    外部Ｉ／Ｆ部
１０２    制御部
１０３    音声処理部
１０４    スピーカ
１０５    映像処理部
１０６    光学ユニット制御部
１０７    光学ユニット
１０８    光源制御部
１０９    光源
１１０    操作部
１１１    記憶部
１１２    コンテンツ判定部
１１３    音声チャネル選択部
【先行技術文献】
【特許文献】
【００６５】
【特許文献１】特開平１０−２２９５２９号公報
【図１】
2015149583.tif 000003
【図２】
2015149583.tif 000004
【図３】
2015149583.tif 000005
【図４】
2015149583.tif 000006
【図５】
2015149583.tif 000007
【図６】
2015149583.tif 000008
【図７】
2015149583.tif 000009
【図８】
2015149583.tif 000010